【手続補正書】
【提出日】平成18年2月2日(2006.2.2)
【手続補正１】
【補正対象書類名】明細書
【補正対象項目名】発明の名称
【補正方法】変更
【補正の内容】
【発明の名称】画像変化検知システムおよび画像変化検知方法
【手続補正２】
【補正対象書類名】明細書
【補正対象項目名】特許請求の範囲
【補正方法】変更
【補正の内容】
【特許請求の範囲】
【請求項１】  カメラで撮影された画像を処理するカメラサーバと、前記カメラサーバとネットワークを介して接続される設定クライアントとを備える画像変化検知システムであって、
前記カメラサーバは、
設定値に基づいて前記カメラで撮影された画像の変化を検知するための画像変化検知処理を行う第１の画像変化検知手段を有し、
前記設定クライアントは、
前記ネットワークを介して前記カメラサーバから前記カメラで撮影された画像を取得する画像取得手段と、
前記画像取得手段により取得された画像に対して画像変化検知処理を行う第２の画像変化検知手段と、
前記第２の画像変化検知手段の検知結果に基づいて、前記カメラサーバの前記第１の画像変化検知手段の設定値を決定し、前記決定された設定値を前記カメラサーバに送信する送信手段とを有することを特徴とする画像変化検知システム。
【請求項２】  前記設定クライアントは、さらに、前記ネットワークを介して前記カメラサーバの前記第１の画像変化検知手段による画像変化検知処理の結果を取得する検知処理結果取得手段と、前記検知処理結果取得手段により取得された前記第１の画像変化検知手段の画像変化検知処理の結果と前記第２の画像変化検知手段の画像変化検知処理の結果とのいずれか一方を選択的に表示する表示手段とを有することを特徴とする請求項１記載の画像変化検知システム。
【請求項３】  前記設定クライアントは、さらに、前記ネットワークを介して前記カメラサーバの前記第１の画像変化検知手段による画像変化検知処理の結果を取得する検知処理結果取得手段と、前記検知処理結果取得手段により取得された前記第１の画像変化検知手段の画像変化検知処理の結果と前記第２の画像変化検知手段の画像変化検知処理の結果とを同時に表示する表示手段とを有することを特徴とする請求項１記載の画像変化検知システム。
【請求項４】  前記設定クライアントは、現在時刻が前記第１の画像変化検知手段の画像変化検知処理に対して指定されたスケジュール範囲外の時間であるときには、前記表示手段による前記第１の画像変化検知手段の画像変化検知処理の結果の表示を無効する表示無効手段とを有することを特徴とする請求項１記載の画像変化検知システム。
【請求項５】  前記設定クライアントは、前記ネットワークを介して、前記第１の画像変化検知手段の画像変化検知処理に対して指定されたスケジュールを無視し、該第１の画像変化検知手段に画像変化検知処理を強制的に実行するように前記カメラサーバに要求する強制動作要求手段を有し、前記カメラサーバは、前記強制動作要求手段の要求に基づいて第１の画像変化検知手段に画像変化検知処理を強制的に実行させる強制手段を有することを特徴とする請求項４記載の画像変化検知システム。
【請求項６】  前記設定クライアントは、該設定クライアントのフレームレートと前記カメラサーバのフレームレートが異なる場合、前記表示手段による前記第２の画像変化検知手段の画像変化検知処理の結果の表示を無効する表示無効手段を有することを特徴とする請求項２に記載の画像変化検知システム。
【請求項７】  カメラで撮影された画像を処理するカメラサーバと、前記カメラサーバとネットワークを介して接続される設定クライアントとを用いた画像変化検知方法であって、
前記カメラサーバは、
設定値に基づいて前記カメラで撮影された画像の変化を検知するための画像変化検知処理を行う第１の画像変化検知工程を有し、
前記設定クライアントは、
前記ネットワークを介して前記カメラサーバから前記カメラで撮影された画像を取得する画像取得工程と、
前記画像取得工程において取得された画像に対して画像変化検知処理を行う第２の画像変化検知工程と、
前記第２の画像変化検知工程の検知結果に基づいて、前記カメラサーバの前記第１の画像変化検知工程において画像変化検知処理に用いる設定値を決定し、前記決定された設定値を前記カメラサーバに送信する送信工程とを有することを特徴とする画像変化検知方法。
【手続補正３】
【補正対象書類名】明細書
【補正対象項目名】０００１
【補正方法】変更
【補正の内容】
【０００１】
【発明の属する技術分野】
本発明は、カメラが接続されるカメラサーバとネットワークを介して通信可能に接続される設定クライアントを備える画像変化検知システムおよび画像変化検知方法に関する。
【手続補正４】
【補正対象書類名】明細書
【補正対象項目名】０００７
【補正方法】変更
【補正の内容】
【０００７】
本発明の目的は、設定クライアントからカメラサーバの画像変化検知処理に対して適切な設定値を設定することができる画像変化検知システムおよび画像変化検知方法を提供することにある。
【手続補正５】
【補正対象書類名】明細書
【補正対象項目名】０００８
【補正方法】変更
【補正の内容】
【０００８】
【課題を解決するための手段】
本発明は、上記目的を達成するため、カメラで撮影された画像を処理するカメラサーバと、前記カメラサーバとネットワークを介して接続される設定クライアントとを備える画像変化検知システムであって、前記カメラサーバは、設定値に基づいて前記カメラで撮影された画像の変化を検知するための画像変化検知処理を行う第１の画像変化検知手段を有し、前記設定クライアントは、前記ネットワークを介して前記カメラサーバから前記カメラで撮影された画像を取得する画像取得手段と、前記画像取得手段により取得された画像に対して画像変化検知処理を行う第２の画像変化検知手段と、前記第２の画像変化検知手段の検知結果に基づいて、前記カメラサーバの前記第１の画像変化検知手段の設定値を決定し、前記決定された設定値を前記カメラサーバに送信する送信手段とを有することを特徴とする。
本発明は、上記目的を達成するため、カメラで撮影された画像を処理するカメラサーバと、前記カメラサーバとネットワークを介して接続される設定クライアントとを用いた画像変化検知方法であって、前記カメラサーバは、設定値に基づいて前記カメラで撮影された画像の変化を検知するための画像変化検知処理を行う第１の画像変化検知工程を有し、前記設定クライアントは、前記ネットワークを介して前記カメラサーバから前記カメラで撮影された画像を取得する画像取得工程と、前記画像取得工程において取得された画像に対して画像変化検知処理を行う第２の画像変化検知工程と、前記第２の画像変化検知工程の検知結果に基づいて、前記カメラサーバの前記第１の画像変化検知工程において画像変化検知処理に用いる設定値を決定し、前記決定された設定値を前記カメラサーバに送信する送信工程とを有することを特徴とする。
【手続補正６】
【補正対象書類名】明細書
【補正対象項目名】０１１３
【補正方法】変更
【補正の内容】
【０１１３】
【発明の効果】
以上説明したように、本発明によれば、設定クライアントにおいて、第２の画像変化検知手段の検知結果に基づいて、カメラサーバの第１の画像変化検知手段の設定値を決定し、決定された設定値をカメラサーバに送信するので、設定クライアントからカメラサーバの画像変化検知処理に対して適切な設定値を設定することができる。